(57)【要約】【課題】少ないメモリ容量で逆方向再生を実現する画像再生装置を提供する。【解決手段】ビデオ・エレメンタリ・ストリームを入力し、復号処理を行う復号器11と、入力したピクチャの種類で、動き補償計算を行ってから出力する動き補償回路12と、動き補償回路12から出力されたフレーム・データを一度フレーム・メモリ14に蓄積する必要がある場合に、フレーム・データとして両フィールドのデータを転送するか、あるいは、片フィールドのデータのみを転送するかを選択するフィールド・データ転送回路13と、フレーム・データまたはフィールド・データを蓄積し、本発明を適用する場合に、動き補償回路からの参照が終了したフレーム・データの片フィールド・データ分のメモリを開放し、表示タイミングになったら復号画像として出力するフレーム・メモリ14とを備える。【選択図】      図１
2005080097.tif 000002
【特許請求の範囲】
【請求項１】
圧縮されたビデオ・エレメンタリ・ストリームを入力し、復号処理を行う復号ステップと、
前記入力したビデオ・エレメンタリ・ストリームのピクチャのＢピクチャ、ＩピクチャおよびＰピクチャに対応したピクチャ種類で、動き補償計算を行う動き補償ステップと、
前記ビデオ・エレメンタリ・ストリームのピクチャの特殊再生を前記ピクチャ種類に対応して行う際、前記特殊再生の最初から片フィールド・データしかフレーム・メモリには蓄積しない特殊再生ステップと、を備えること特徴とする画像再生方法。
【請求項２】
前記特殊再生ステップは、前記ビデオ・エレメンタリ・ストリームのピクチャが、Ｂピクチャの場合は、前記特殊再生の最初から片フィールド・データしかフレーム・メモリには蓄積しない請求項１に記載の画像再生方法。
【請求項３】
前記特殊再生ステップは、前記ビデオ・エレメンタリ・ストリームのピクチャ種類が、ＩピクチャおよびＰピクチャの場合は、一度、前記フレーム・データをフレーム・メモリに蓄積し、その後、参照されることがなくなった時点で、前記片フィールド分のメモリを開放すること特徴とする請求項１に記載の画像再生方法。
【請求項４】
前記フレーム・メモリは、前記片フィールド分のデータのみを蓄積する請求項１乃至２のいずれか1項に記載の画像再生方法。
【請求項５】
前記フレーム・メモリは、前記片フィールドのデータのみを出力画像の両フィールドに対して出力する請求項４に記載の画像再生方法。
【請求項６】
前記特殊再生は、逆方向再生である請求項１乃至５のいずれか1項に記載の画像再生方法。
【請求項７】
圧縮されたビデオ・エレメンタリ・ストリームを入力し、復号処理を行う復号器と、
前記入力したビデオ・エレメンタリ・ストリームのピクチャのＢピクチャ、ＩピクチャおよびＰピクチャに対応したピクチャ種類で、動き補償計算を行ってから出力する動き補償回路と、
前記ビデオ・エレメンタリ・ストリームのピクチャ種類が、ＩピクチャおよびＰピクチャの場合は、フレーム・データまたはフィールド・データを蓄積し、前記動き補償回路からの参照が終了した時、フレーム・データの片フィールド・データ分のメモリを開放し、表示タイミングになったら復号画像として出力するフレーム・メモリと、
前記動き補償回路から出力されたフレーム・データを一度、前記フレーム・メモリに蓄積する必要がある場合に、フレーム・データとして両フィールドのデータを転送するか、あるいは、片フィールドのデータのみを転送するかを選択するフィールド・データ転送回路と、を備えることを特徴とする画像再生装置。
【請求項８】
前記復号器は、前記ビデオ・エレメンタリ・ストリームをピクチャ単位で可変長復号化し、前記ビデオ・エレメンタリ・ストリームを逆量子化し、前記ビデオ・エレメンタリ・ストリームを逆DCT化する請求項７に記載の画像再生装置。
【発明の詳細な説明】
【技術分野】
【０００１】
本発明は、画像再生方法および画像再生装置に関し、特に、ISO/IEC13818(MPEG2)で規定されるビデオ・エレメンタリ・ストリームの画像再生方法および画像再生装置に関する。
【背景技術】
【０００２】
圧縮動画像データの符号化方式として、ISO/IEC13818(MPEG2)で規定される符号化方式が標準化されている。このような圧縮動画像データの符号化方式の画像再生装置は、例えば、特許文献１に開示されている。
【０００３】
図８に、従来技術の画像再生装置の構成を示す。従来技術の画像再生装置８００は、ISO/IEC13818(MPEG2)で規定される圧縮方法で圧縮されたビデオ・エレメンタリ・ストリームを入力し、可変長復号化、逆量子化、逆DCTなどの復号処理を行う復号器８１を備える。
【０００４】
入力したピクチャが、Ｉピクチャの場合は、そのまま出力し、Ｐピクチャの場合はフレーム・メモリ８４に蓄積されているフレーム・データへの前方参照を用いて動き補償計算を行ってから出力する。
【０００５】
さらに、従来技術の画像再生装置８００は、Ｂピクチャの場合はフレーム・メモリ８４に蓄積されているフレーム・データへの前方参照および後方参照を用いて動き補償計算を行ってから、出力する動き補償回路７２を備える。
【０００６】
さらに、従来技術の画像再生装置８００は、動き補償回路８２から出力されたフレーム・データを一度フレーム・メモリ８４に蓄積する必要がある場合に、フレーム・データとして両フィールドのデータを転送するフレーム・データ転送回路７３と、フレーム・データまたはフィールド・データを蓄積し、表示タイミングになったら復号画像として出力するフレーム・メモリ８４を備える。
【０００７】
次に、従来技術の画像再生装置を用いて、図２に示されるビデオ・エレメンタリ・ストリームを通常の順方向再生を行う場合について説明する。
【０００８】
順方向再生を行う場合、前のピクチャから順番に復号すればよいので、図３に示す、順方向再生時の順番で復号器８１に入力される。まず、ＩピクチャＩ２が入力される。ＩピクチャＩ２は復号器８１によって可変長復号化、逆量子化および、逆DCTの処理が行われ、フレーム・データ転送回路７３を経由してフレーム・データがフレーム・メモリ８４に蓄積される。
【０００９】
次のＢピクチャＢ０は復号器８１によって復号後、動き補償回路８２においてフレーム・メモリ８４に蓄積されているＩピクチャＩ２のフレーム・データを参照し、動き補償計算が行われた後、復号画像としてそのまま出力される。次のＢピクチャＢ１もＢピクチャＢ０と同様に処理され復号画像として出力される。
【００１０】
次のP5も同様にI2のフレーム・データを参照し、動き補償計算を行い、フレーム・データ転送回路７３を経由してフレーム・データがフレーム・メモリ８４に蓄積される。しかし、それと同時にI2のフレーム・データを出力画像として出力する。
【００１１】
次のB3,B4ピクチャはI2、P5のフレーム・データの参照を行い、復号画像としてそのまま出力される。次のP8はP5のフレーム・データの参照を行い、フレーム・メモリ８４へ蓄積されるが、フレーム・メモリ８４内のI2ピクチャは以後参照されることはないので、I2のフレーム・データを格納していた領域にP8のフレーム・データを上書きする。
【００１２】
以上の手順で、順方向再生が行われる。この場合、フレーム・メモリ８４には２フレーム分のフレーム・メモリ容量が必要であることがわかる。
【００１３】
次に、従来技術を用いて、図２に示されるビデオ・エレメンタリ・ストリームを逆方向再生を行う場合について説明する。なお、図２のストリームは、Closed GOPであることとする。
【００１４】
図９および図１０は従来技術により、フレーム・メモリ８４に書き込まれるデータを図示したものである。この例ではBANK1〜16の１６個のバンクで構成されており、１つのバンクに１つのフレーム・データが格納される。以下に図９および図１０を参照して、図２の２つのGOPから構成されるストリームを逆方向再生する場合について説明する。
【００１５】
まずGOP2のI17〜B29のピクチャが入力される。順方向再生で説明した要領で復号および動き補償が行われるが、復号画像の出力は行わず、全てのフレーム・データがフレーム・メモリ８４へ蓄積される。よって、図９に示すように、I17〜B29のピクチャがBANK1〜BANK15へ蓄積される。次にGOP1の入力を開始し、I2から復号を行う。I2を復号し、BANK16へ格納すると同時に、BANK13のP29のフレーム・データを復号画像として出力し、順次のGOP1のピクチャを復号しフレーム・メモリ74へ蓄積しながら、蓄積されているフレーム・データを逆向きに、B28、B27、P26・・・と復号画像として出力していく。
【００１６】
以上の手順で、逆再生が行われることになるが、フレーム・メモリ８４には１６フレーム分の容量が必要であることがわかる。
【００１７】
【特許文献１】特開平８―１０２９１３号公報（図７）
【発明の開示】
【発明が解決しようとする課題】
【００１８】
しかしながら、逆再生を行う時に、フレーム・メモリ８４は１６フレーム分の容量が必要である。このように、逆方向再生時には、順方向再生時に比べて、大量のメモリを必要とすることになる(上記の例では8倍のメモリを必要とする)問題がある。
【００１９】
現状、MPEG復号器に装着するSDRAMは64Mbitまたは128Mbitが主流であるが、64MbitのSDRAMでは最大14フレーム分のフレーム・メモリしか確保することが出来ない。このため、比較的使用頻度の少ない機能である逆方向再生などの特殊再生を行うために128MbitのSDRAMを必要となってしまう。
【００２０】
従って、本発明は、上記問題に鑑み、コスト削減のため、64MbitのSDRAMでの実現を要求されることが多く、少ないメモリ容量で逆方向再生などの特殊再生を実現する画像再生装置を提供することにある。
【課題を解決するための手段】
【００２１】
かかる課題を解決するため、本願発明の画像再生方法は、圧縮されたビデオ・エレメンタリ・ストリームを入力し、復号処理を行う復号ステップと、前記入力したビデオ・エレメンタリ・ストリームのピクチャのBピクチャ、IピクチャおよびPピクチャに対応したピクチャ種類で、動き補償計算を行う動き補償ステップと、前記ビデオ・エレメンタリ・ストリームのピクチャの特殊再生を前記ピクチャ種類に対応して行う際、最初から片フィールド・データしかフレーム・メモリには蓄積しない特殊再生ステップとを備える
【発明の効果】
【００２２】
本発明によれば、使用するメモリ量を節約することが出来ることにある。従来の方法であるフレーム・データを蓄積する場合に必要なフレーム・メモリ量をIフレーム分、本発明によるフィールド・データを蓄積する場合に必要なフレーム・メモリ量をJフレーム分とすると
J ＝I／２＋１----(式1)
と計算することが出来る。この式の根拠を以下に説明する。
【００２３】
本発明では、メモリに蓄積するデータは、I,P,Bピクチャ共に、最終的には、フィールド・データであるため、従来のメモリ量の半分(Ｎ/２)となる。
【００２４】
しかし、ＩおよびPピクチャは一度、両フィールドをメモリに配置し、その後参照されることがなくなってから、片フィールド分のメモリを開放する。
【００２５】
あるIおよびPピクチャの片フィールド分のメモリが開放されるタイミングは、そのピクチャの２つ先のIまたはPピクチャが復号されたときになるため、最新の２つのIまたはPピクチャは、両フィールドのデータを保持しておく必要がある。そのため、２フィールド分(＋１)のメモリ量がさらに必要になる。
【発明を実施するための最良の形態】
【００２６】
次に、本発明を実施するための最良の形態を図面により詳細に説明する。まず、本発明の第1の実施の形態の画像再生装置について説明する。
【００２７】
本発明は、ISO/IEC13818(MPEG2)で規定されるビデオ・エレメンタリ・ストリームの特殊再生方法および特殊再生装置に関するものであり、逆方向再生を行う場合などにおいて、従来技術に比較して、より少ないメモリ量で再生を実現するための特殊再生方法および特殊再生装置を提供する。
【００２８】
図1においてビデオ・エレメンタリ・ストリームは復号器11に入力される。復号器11はビデオ・エレメンタリ・ストリームをピクチャ単位で可変長復号化、逆量子化、逆DCTなどの処理を行い、動き補償回路12へ出力する。動き保証回路12は、入力されたピクチャがIピクチャの場合はそのまま出力する。PピクチャおよびBピクチャの場合は、フレーム・メモリ14に蓄積されているフレーム・データへの参照を行い、動き補償計算を行って出力する。
【００２９】
動き補償回路12からフレーム・メモリ14に出力する際に、フィールド・データ転送回路13において、IまたはPピクチャの場合はフレーム・データをフレーム・メモリ14に転送し、Bピクチャの場合は、フィールド・データをフレーム・メモリ14に転送する。また、フレーム・データとしてフレーム・メモリ14に蓄積されたIまたはPピクチャのフレーム・データは動き補償回路12からの参照が終了したと判断した時点で、片フィールド・データ分のメモリを開放する。よって、フレーム・メモリ14には、最終的に片フィールドのデータのみが蓄積されることになり、復号画像として片フィールドのデータのみを出力する。
【００３０】
なお、この場合、復号画像として出力されるのは、片フィールドのみのデータとなり、出力画像のtop/bottomの両フィールドともに片フィールド(例えばtopフィールドのみ)のデータを出力する。そのため両フィールドを出力する場合に比べて画質劣化を起こしてしまうが、逆方向再生などの特殊再生時は、基本的には再生開始位置を探すために行う機能であるため、画質については問われない。
【００３１】
上記の方法により、フレーム・メモリ14の容量をフレーム・データを蓄積する場合に比べて、以下の式のように半減させることを可能とする。フレーム・データを蓄積する場合に必要なフレーム・メモリ量をIフレーム分、本発明によるフィールド・データを蓄積する場合に必要なフレーム・メモリ量をJフレーム分とした場合
J ＝I／２＋１-----（式1）
と計算することが出来る。
【００３２】
ビデオ・エレメンタリ・ストリームを逆方向再生する場合、GOP(グループ・オブ・ピクチャ)内の全てのピクチャをフレーム・メモリ14に展開してから、逆方向の順番で表示していくため、GOP内のピクチャ数が15の場合、従来は、15フレーム分以上のフレーム・メモリを必要としたが、本発明を適用することで、上記式より9フレーム分のフレーム・メモリで実現することが可能となる。
【００３３】
（実施形態１）
図１は、本発明の実施の形態を示す画像再生装置の構成図である。
【００３４】
本発明の実施の形態を示す画像再生装置は、ISO/IEC13818(MPEG2)で規定される圧縮方法で圧縮されたビデオ・エレメンタリ・ストリームを入力し、復号処理を行う復号器11と、入力したピクチャの種類で、動き補償計算を行ってから出力する動き補償回路12と、動き補償回路12から出力されたフレーム・データを一度フレーム・メモリ14に蓄積する必要がある場合に、フレーム・データとして両フィールドのデータを転送するか、あるいは、片フィールドのデータのみを転送するかを選択するフィールド・データ転送回路13と、フレーム・データまたはフィールド・データを蓄積し、本発明を適用する場合に、動き補償回路からの参照が終了したフレーム・データの片フィールド・データ分のメモリを開放し、表示タイミングになったら復号画像として出力するフレーム・メモリ14とを備える。
【００３５】
本発明の実施の形態の画像再生装置の復号器11は、可変長復号化、逆量子化、逆DCTなどの機能を有する。動き補償回路12は、Iピクチャの場合はそのまま出力し、Pピクチャの場合はフレーム・メモリ14に蓄積されているフレーム・データへの前方参照を用いて動き補償計算を行ってから出力し、Bピクチャの場合はフレーム・メモリ14に蓄積されているフレーム・データへの前方参照および後方参照を用いて動き補償計算を行ってから出力する。
【００３６】
次に、本発明の第１の実施形態の画像再生装置の動作について、説明する。
【００３７】
図２、図３、図４および図５のそれぞれを参照して、本発明の第１の実施の形態の動作の説明をする。
【００３８】
図２は、ビデオ・エレメンタリ・ストリームの構成例を示す。図２を参照すると、ビデオ・エレメンタリ・ストリームは、単独で復号可能なIピクチャと、前方のIピクチャまたはPピクチャを参照して復号するPピクチャと、前方および後方のIピクチャまたはPピクチャを参照して復号するBピクチャにより構成される。
【００３９】
また、IピクチャまたはPピクチャが出現する間隔をM値、Iピクチャが出現する間隔をN値と呼ぶ。さらにまた、Iピクチャから始まるピクチャ群をGOP(グループ・オブ・ピクチャ)と呼ぶ。
【００４０】
図２の構成例ではM＝３、N＝15の構成になっており、２つのGOPから構成されている。なお、図中の数字は表示順の番号を示している。また、ここでは、説明をわかりやすくするため、これらのGOPはClosed GOP(クローズドGOP)であることとする。Closed GOPとはGOP内のピクチャが前のGOP内のピクチャを参照しないことを意味し、図２の場合、Bピクチャ（B15およびB16）は、IピクチャI17からの後方参照のみを使用して復号される。
【００４１】
逆に、前のGOP内のピクチャを参照する場合のGOPをOpen GOP(オープンGOP)といい、Bピクチャ（B15およびB16）は前のGOPのP14の前方参照とI17の後方参照を使用して復号される。ここでは、Closed GOPである図２に示す構成のビデオ・エレメンタリ・ストリームを逆方向再生する場合について説明する。
【００４２】
GOPはIピクチャから始まるピクチャ群で構成され、Iピクチャに続くピクチャは前方のピクチャを参照して復号されるため、GOP内の後ろのピクチャから反対向きに復号していくことは出来ない。そのため、逆方向再生を行う場合は、図３に示すように、GOP単位に逆方向に復号器に入力する。
【００４３】
図４および図５は、本発明により、フレーム・メモリ14に書き込まれるデータを図示したものである。この例では、BANK1〜9の９個のバンクから構成されている。各バンクは、フィールド単位で２つのブロック(field1とfield2)に分割され、１つのブロックに１つのフィールド・データが格納される。また、図中の’t’および’b’はそれぞれ、top_field(トップ・フィールド),bottom_field(ボトム・フィールド)を示しており、どちらのフィールドを格納しているかを示している。以下に図４を参照して、図２の２つのGOPから構成されるストリームを逆方向再生する場合について説明する。
【００４４】
まずGOP2のピクチャI17が復号器11に入力される。ピクチャI17は復号器11によって復号された後、フィールド・データ転送回路１３を経由して両フィールド・データがフレーム・メモリ１４内のBANK1のfield1およびfield2に格納される。次のB15は復号器11によって復号後、動き補償回路12においてフレーム・メモリ14に蓄積されているI17のフレーム・データを参照し、動き補償計算が行われた後、フィールド・データ転送回路13によって片フィールド・データ(top_field)がフレーム・メモリ14内のBANK2のfield1に格納される。続いてB16も同様に処理されBANK2のfield2に片フィールド・データ(top_field)が格納される。P20は動き補償回路12においてフレーム・メモリに蓄積されているI17のフレーム・データを参照し、動き補償計算が行われた後、フィールド・データ転送回路13を経由して両フィールド・データがフレーム・メモリ14内のBANK3のfield1およびfield2に格納される。同様に、B18がBANK4のfield1、B19がBANK4のfield2に格納される。次にP23を復号する時点で、I17(2つ前のIピクチャまたはPピクチャ)のフレーム・データはこれ以降、どのピクチャからも参照されなくなるため、I17のbottom_fieldを格納しているBANK1のfield2を開放する。そのため、P23はBANK1のfield2とBANK5のfield1に格納される。同様にGOP2のB28までのフレームまたは片フィールド・データをフレーム・メモリ14に格納していく。次にGOP1のI2ピクチャを復号する時点で、2つ前のPピクチャであるP26のbottom_fieldを格納しているBANK6のfield2を開放し、同時に１つ前のPピクチャであるP29もこれ以降、参照されることはなくなるため、P29のbottom_fieldを格納しているBANK8のfield1を開放する。また、I2を復号すると同時にGOP1のP29tから逆順にB28t、B27t、P26t・・・と復号画像として出力し、表示が完了した領域を開放しながら、GOP1の各ピクチャを復号していく。
【００４５】
以上の手順で、逆方向再生が行われることになるが、フレーム・メモリ14は9フレーム分のみの容量が必要であることがわかる。
【００４６】
図6に、フィールド・データ転送回路13がフレーム・データまたはフィールド・データを転送する処理と、フレーム・メモリ14が動き補償回路12からの参照が終了したフレーム・データの片フィールドのデータを開放する処理のフローを示す。入力されたピクチャがBピクチャの場合、片フィールド・データをフレーム・メモリに格納する(52)。またIピクチャまたはPピクチャであった場合は、まず、２つ前に格納したIピクチャまたはPピクチャは以後に動き補償回路12から参照されることはないので、それらのフレーム・データの片フィールド・データ分のメモリを開放する(53)。次にGOPの先頭のピクチャであった場合は1つ前に格納したPピクチャの片フィールド・データ分のメモリを開放する(54,55)。次に両フィールド・データ(フレーム・データ)をフレーム・メモリ14に格納する(56)。このフローにより上記動作説明の処理が説明できる。
【００４７】
なお、本実施の形態では、Closed GOPの場合を例にして説明したが、Open GOPの場合でも同様に適用することが出来る。
【００４８】
また、本実施の形態は、逆方向再生について記述したが、この例は、逆方向１倍再生、逆方向スロー再生を区別するものではない。逆方向１倍再生の場合は、1フレーム表示期間毎に出力画像を更新し、逆方向スロー再生の場合は、複数フレーム表示期間毎に出力画像を更新することで、どちらの場合でも対応している。
【００４９】
次に、本発明の第２の実施形態の画像再生装置について、説明する。
（実施形態２）
図７に本発明の第２の実施形態の画像再生装置を示す。本発明の第２の実施形態の画像再生装置７００では、参照用フレーム・メモリ７５を追加し、IピクチャまたはPピクチャで後に参照されるために蓄積していた側のフィールドを参照用フレーム・メモリ７５に配置する。
【００５０】
また、IまたはPピクチャの参照および表示にも使用される側のフィールドは、本発明の第１の実施形態の画像再生装置１００と同様に、フレーム・メモリ７４に蓄積する。Bピクチャは、本発明の第１の実施形態の画像再生装置と同様に、フレーム・メモリ７４に蓄積する。また、動き補償回路７２はPまたはBピクチャを入力した時、フレーム・メモリ６４に格納されている片フィールド、参照用フレーム・メモリ７５に格納されているもう片フィールドへの参照を行って出力する。
【００５１】
このような構成の場合にも、第１の実施の形態と同じく、メモリ使用量を節約することが出来る。また、このように構成することによって、参照用のみに使用されるフィールドと、参照および表示に使用されるフィールドを別々の領域に保存するので、メモリの操作方法をより単純化することが可能となる。
【００５２】
なお、本発明の第２の実施形態の画像再生装置７００は、本発明の第１の実施形態の画像再生装置１００と比べて、フィールド・データ転送回路７３から出力されるフレームまたはフィールド・データの出力先が変更されている。
【００５３】
したがって、本発明の第２の実施形態の画像再生装置は、動き補償回路７２からの参照先が変更されただけで、他の構成要素は、同じである。また、本発明の第２の実施形態の画像再生装置の動作は、本発明の第１の実施形態の画像再生装置と同じであるため、その詳細な説明は省略する。
【００５４】
次に、本発明の第３の実施形態の画像再生装置について説明する。
（実施形態３）
本発明の第１の実施形態の画像再生装置は、M=3、N=15のGOP構造のビデオ・エレメンタリ・ストリームの全てのピクチャを逆方向再生する場合について説明したが、M=3、N=15以外のGOP構造の場合についても、あるいは、逆方向早送り再生などのその他の特殊再生の場合についても、適用可能である。
【産業上の利用可能性】
【００５５】
本発明の活用例としては、ISO/IEC13818(MPEG2)で規定されるビデオ・エレメンタリ・ストリームの特殊再生分野で活用される。特に、逆方向再生を行う場合などにおいて、従来より少ないメモリ量で再生を実現するための特殊再生の分野で有効である。
【図面の簡単な説明】
【００５６】
【図１】本発明の第１の実施の形態による画像再生装置の構成図である。
【図２】ビデオ・エレメンタリ・ストリームの構成例である。
【図３】逆方向再生を行う場合の処理を示す。
【図４】フレーム・メモリ14に書き込まれるデータを図示したものである
【図５】フレーム・メモリ14に書き込まれる別のデータを図示したものである
【図６】本発明の第１の実施の形態による画像再生装置の動作を説明する図である。
【図７】本発明の第２の実施の形態による画像再生装置の構成図である。
【図８】従来の画像再生装置の構成図である。
【図９】従来のフレーム・メモリに書き込まれるデータを図示したものである。
【図１０】従来のフレーム・メモリに書き込まれる別のデータを図示したものである。
【符号の説明】
【００５７】
１１    復号器
１２    動き補償回路
１３    フィールド・データ転送回路
１４    フレーム・メモリ
２１〜２６    処理ステップ
７１    復号器
７２    動き補償回路
７３    フィールド・データ転送回路
７４    フレーム・メモリ
７５    参照用フレーム・メモリ
【図１】
2005080097.tif 000003
【図２】
2005080097.tif 000004
【図３】
2005080097.tif 000005
【図４】
2005080097.tif 000006
【図５】
2005080097.tif 000007
【図６】
2005080097.tif 000008
【図７】
2005080097.tif 000009
【図８】
2005080097.tif 000010
【図９】
2005080097.tif 000011
【図１０】
2005080097.tif 000012